(57)【要約】【課題】画像を印刷記録媒体に印刷する印刷装置における処理に必要な手間を少なくして、かつ画像に関する文字情報と画像とを容易に関連付けすることができる撮像装置及び撮像装置用プログラムを提供する。【解決手段】オリジナル画像ファイルＦＯは、印刷文字情報Ｐ１及び非印刷文字情報Ｐ２から構成される文字情報Ｐと、各ピクセルに対する各ＲＧＢ値の画像情報ＤＯとを有している。デジタルカメラの制御部は、コピーボタンを押下することにより、オリジナル画像ファイルＦＯに基づいて新たなコピー画像ファイルＦＣを複製生成する。コピー画像ファイルＦＣは、印刷文字情報Ｐ１及び非印刷文字情報Ｐ２から構成される文字情報Ｐと、オリジナル画像ファイルＦＯの画像情報ＤＯのアドレス情報ＤＣとを有している。【選択図】　　　図４
2004146951.tif 000002
【特許請求の範囲】
【請求項１】
画像を撮像する撮像手段と、
文字情報を受信する文字情報受信手段と、
前記撮像手段により撮像された画像の画像情報及び前記文字情報受信手段から入力される文字情報を有する第１画像ファイルを生成するファイル生成手段と
を備えた撮像装置において、
前記ファイル生成手段は、
前記第１画像ファイルに基づいて、前記第１画像ファイルの前記画像情報の格納先を指定するアドレス情報と、文字情報とを有する第２画像ファイルを生成することを特徴とする撮像装置。
【請求項２】
前記文字情報受信手段は、第２画像ファイルの文字情報を変更する文字情報を受信することを特徴とする請求項１に記載の撮像装置。
【請求項３】
前記文字情報は、
印刷記録媒体に印刷させる印刷文字情報と、
前記印刷記録媒体に印刷させない非印刷文字情報とから構成されており、
前記ファイル生成手段は、前記印刷文字情報と前記非印刷文字情報とを区別した状態で前記第１画像ファイル又は第２画像ファイルを生成することを特徴とする請求項１又は２に記載の撮像装置。
【請求項４】
前記印刷文字情報又は前記非印刷文字情報を画像に関連付けした状態で表示させる表示手段が設けられていることを特徴とする請求項３に記載の撮像装置。
【請求項５】
撮像装置用コンピュータに、
撮像手段により撮像された画像の画像情報と、文字情報受信手段を介して入力される文字情報とを有した第１画像ファイルを生成させる機能と、
前記第１画像ファイルに基づいて前記第１画像ファイルの前記画像情報の格納先を指定するアドレス情報と、文字情報とを有する第２画像ファイルを生成させる機能とを実行させるための撮像装置用プログラム。
【発明の詳細な説明】
【０００１】
【発明の属する技術分野】
本発明は、撮像装置及び撮像装置用プログラムに関する。
【０００２】
【従来の技術】
近年、銀塩写真の代わりに、デジタルカメラで撮像した画像をプリンタにて紙に印刷することが行われている。そして、デジタルカメラで撮像した画像を手軽に印刷するために、パーソナルコンピュータ（以下、パソコンという。）を介さずに、デジタルカメラとプリンタとを直接接続するプリンタが出現してきている（例えば特許文献１）。
【０００３】
この種のプリンタにおいては、パソコンを介さなくても、銀塩写真の焼き増しを行うように、画像を複数印刷する機能が搭載されている。更に、特許文献１に記載のプリンタでは、画像をサムネイル表示し、ユーザに、この表示された画像から複数印刷する画像及びその枚数を指定させている。これにより、パソコンを介さずに、デジタルカメラとプリンタとを直接接続するだけで、任意の画像を任意の枚数だけで容易に印刷することができる。
【０００４】
【特許文献１】
特開平１０−２００８３９号公報
【０００５】
【発明が解決しようとする課題】
ところが、パ−ティや旅先などで多数の初対面の人と一緒に撮影した画像を紙に印刷しようとする場合、画像に写っている人が、誰であり、どういう状況で撮影したものであるかといったものが不明となることがあった。そこで、従来、このような画像に関する情報を、例えばメモ用紙に記録することが行われていた。しかし、このようにメモ用紙に情報を記録した場合には、画像ファイルとは別に保管されることになるため、その情報が必要なときに手元にないということがあった。
【０００６】
そこで、例えば、デジタルカメラで画像を撮像した直後に、入力した文字情報に、画像を添付して、画像と文字情報とを関連付けることがなされていた。しかし、種類の異なる情報がある場合、例えば印刷した画像をあげる人の名前や撮影日時などの画像とともに印刷したい情報と、例えば撮影時の状況など印刷したくない情報とがある場合には、印刷する際に、これらの文字情報を分離する必要があった。このため、印刷前に、文字情報を取捨選択しなければならず、手間がかかるとともに、迅速に印刷処理を行うことができなかった。
【０００７】
そこで、任意の情報を関連付けた画像をより簡単に印刷するために、同一の画像の画像情報を複数複製し、この複製した画像情報を例えば画像とともに印刷する文字情報や印刷しない文字情報に添付しておくことが考えられる。しかし、この場合、これらのデータを保存しておくデジタルカメラ中には、データ量の多い画像情報が複数保存されることになる。すなわち、文字情報自体のデータ量が小さくても、デジタルカメラ内の記憶容量を多量に使用することになり、デジタルカメラの記憶容量をすぐに限界まで使用することになる。このため、このようなことはあまり行われておらず、複数の文字情報を有する画像については、結局、印刷する際に文字情報を取捨選択するという手間をしなければならなかった。
【０００８】
本発明は、上記問題を解決するためになされたものであって、その目的は、画像を印刷記録媒体に印刷する印刷装置における処理に必要な手間を少なくして、かつ画像に関する文字情報と画像とを容易に関連付けすることができる撮像装置及び撮像装置用プログラムを提供することにある。
【０００９】
【課題を解決するための手段】
本発明における撮像装置は、画像を撮像する撮像手段と、文字情報を受信する文字情報受信手段と、前記撮像手段により撮像された画像の画像情報及び前記文字情報受信手段から入力される文字情報を有する第１画像ファイルを生成するファイル生成手段とを備えた撮像装置において、前記ファイル生成手段は、前記第１画像ファイルに基づいて、前記第１画像ファイルの前記画像情報の格納先を指定するアドレス情報と、文字情報とを有する第２画像ファイルを生成する。
【００１０】
これによれば、第１画像ファイルの画像情報は、例えば、画像の水平アドレス及び垂直アドレスによって特定されるアドレスの各ピクセルに対する各ＲＧＢ値など、データ量が多い画像情報から構成されている。また、第１画像ファイルと同じ画像を表示する第２画像ファイルは、画像情報の代わりに、第１画像ファイルの画像情報のアドレス情報を有しているため、そのデータ量は、第１画像ファイルに比べて極端に小さく、大きな記憶容量を必要としない。すなわち、同一の画像を有する第２画像ファイルを複数生成しても撮像装置の記憶容量がすぐに限界になることがない。このため、ユーザは安易に、同一の画像に異なる任意の文字情報を容易に付すことができるので、印刷時に手間をかけずに、表示状態の異なる文字情報毎に画像を保存することが容易に行える。すなわち、画像を印刷記録媒体に印刷する印刷装置における処理に必要な手間を少なくして、かつ画像に関する文字情報と画像とを容易に関連付けることができる。
【００１１】
この撮像装置において、前記文字情報受信手段は、第２画像ファイルの文字情報を変更する文字情報を受信する。
これによれば、文字情報受信手段は、第１画像ファイルの画像情報のアドレス情報を有する第２画像ファイルの文字情報を変更することができる。このため、第１画像ファイルであるか又は第２画像ファイルであるかを判断せずとも、任意の画像に対する文字情報を変更することができる。
【００１２】
この撮像装置において、前記文字情報は、印刷記録媒体に印刷させる印刷文字情報と、前記印刷記録媒体に印刷させない非印刷文字情報とから構成されており、前記ファイル生成手段は、前記印刷文字情報と前記非印刷文字情報とを区別した状態で前記第１画像ファイル又は第２画像ファイルを生成する。
【００１３】
これによれば、第１画像ファイル及び第２画像ファイルに記憶されている文字情報は、画像情報とともに印刷記録媒体に記憶される第１文字情報と、印刷記録媒体に印刷されない非印刷文字情報とから構成されている。このため、１つの画像に対して、印刷記録媒体に画像とともに印刷したい表示文字情報だけでなく、印刷したくない非文字情報をも一緒に記憶させておくことができる。従って、印刷しない画像の情報であっても、常に画像に関連付けておくことができるので、必要なときにその情報をより確実に得ることができる。また、印刷装置は、この撮像装置で作成された画像ファイルのうち、非印刷文字情報を除いた印刷文字情報と画像情報とに基づいて、画像情報と、この画像情報とともに印刷する文字情報とを印刷記録媒体に印刷させることができる。このため、ユーザは印刷装置において画像情報と文字情報とを印刷記録媒体に印刷させるときには、情報の選択といった文字情報の設定を行う必要がない。従って、ユーザは印刷装置に対して簡単な操作を行うだけで、画像及びこれに付与した文字情報のみを印刷記録媒体に印刷させることができる。
【００１４】
この撮像装置において、前記印刷文字情報又は前記非印刷文字情報を画像に関連付けした状態で表示させる表示手段が設けられている。
これによれば、印刷文字情報又は非印刷文字情報を画像に関連させて表示する表示手段が設けられているため、文字入力手段から入力される文字情報を画像に関連つけて表示手段に表示することができる。従って、ユーザは画像と対応付けながら、入力された文字を確認することができ、任意の文字情報をより確実に所定の画像に付することができる。
【００１５】
本発明における撮像装置用プログラムは、撮像装置用コンピュータに、撮像手段により撮像された画像の画像情報と、文字情報受信手段を介して入力される文字情報とを有した第１画像ファイルを生成させる機能と、前記第１画像ファイルに基づいて前記第１画像ファイルの前記画像情報の格納先を指定するアドレス情報と、文字情報とを有する第２画像ファイルを生成させる機能とを実行させる。
【００１６】
これによれば、第１画像ファイルの画像情報は、例えば、画像の水平アドレス及び垂直アドレスによって特定されるアドレスの各ピクセルに対する各ＲＧＢ値など、データ量が多い画像情報から構成されている。また、第１画像ファイルと同じ画像を表示する第２画像ファイルは、画像情報の代わりに、第１画像ファイルの画像情報のアドレス情報を有しているため、そのデータ量は、第１画像ファイルに比べて極端に小さく、大きな記憶容量を必要としない。すなわち、同一の画像を有する第２画像ファイルを複数生成しても撮像装置の記憶容量がすぐに限界になることがない。このため、ユーザは安易に、同一の画像に異なる任意の文字情報を容易に付すことができるので、印刷時に手間をかけずに、表示状態の異なる文字情報毎に画像を保存することが容易に行える。すなわち、画像を印刷記録媒体に印刷する印刷装置における処理に必要な手間を少なくして、かつ画像に関する文字情報と画像とを容易に関連付けることができる。
【００１７】
【発明の実施の形態】
以下、本発明を具体化した撮像装置の一実施形態を図１〜図８に従って説明する。
【００１８】
図１に示すように、撮像装置としてのデジタルカメラ１１は、撮像手段としての光学駆動部２１及び表示手段としてのモニタ部２２を有している。光学駆動部２１には、レンズや焦点を合わせるための駆動機構等が収められている。モニタ部２２は、例えば液晶ディスプレイにより構成されている。このモニタ部２２には、光学駆動部２１を用いて撮像された画像、メニュー画面及び後述するキーボード１３を介して入力された文字等が出力表示される。従って、ユーザは、モニタ部２２を介して、撮像される又は撮像された画像や入力された文字を確認することができる。
【００１９】
更に、このデジタルカメラ１１は、シャッターボタン２３、モード選択ボタン２４、表示切換ボタン２５、コピーボタン２６、メニューボタン２７、画像選択ボタン２８及び電源ボタン２９を有している。シャッターボタン２３は、モニタ部２２に表示された画像の画像情報を記憶する場合に押されるボタンである。モード選択ボタン２４は、モード（画像を撮像する際の撮像モードと、撮影した画像を表示する表示モードと）の切り換えを行う場合に押されるボタンである。表示切換ボタン２５は、モニタ部２２に表示された画像の表示状態を切り換える場合に押されるボタンである。すなわち、表示切換ボタン２５は、図３（ａ）に示すように画像のみを表示するのか、図３（ｃ）、（ｄ）に示すように後述する表示文字情報としての印刷文字情報Ｐ１と画像とを表示するのか、図３（ｂ）に示すように後述する非印刷文字情報Ｐ２と画像とを表示するのかの切換を行う。コピーボタン２６は、モニタ部２２に表示された画像について、その画像ファイルに基づいて別の新たな画像ファイルを複製生成する場合に押されるボタンである。メニューボタン２７は、モニタ部２２に表示される画像の明るさやコントラストなど色合いの調節を行う場合に押されるボタンである。画像選択ボタン２８は、後述するフラッシュメモリ１５に記憶されている画像を順次選択してモニタ部２２に表示される場合に押されるボタンである。電源ボタン２９は、電源の投入又は切断を行う場合に押されるボタンである。
【００２０】
また、デジタルカメラ１１には、フラッシュメモリ１５が脱着可能に内蔵されており、デジタルカメラ１１で生成される画像ファイルが記憶される。このフラッシュメモリ１５は、印刷装置としてのプリンタ１２（図２参照）に装着されることにより、記憶された画像ファイルのデータに基づいて同プリンタ１２に画像及び文字の印刷を行わせる。
【００２１】
更に、同デジタルカメラ１１には、ケーブル１４を介してキーボード１３が取り付けられている。キーボード１３は、図示しないＣＰＵと、これに接続された複数のキースイッチとを有している。このキースイッチは、複数の文字用キースイッチ１３ａと、複数の指令選択キースイッチ１３ｂとから構成されている。各文字用キースイッチ１３ａは、それぞれ割り当てられた文字データをＣＰＵに発生させるためのスイッチである。このため、この文字用キースイッチ１３ａが押下されることにより、キーボード１３のＣＰＵは押下されたキースイッチに対応付けられた文字データを発生させてデジタルカメラ１１に送信する。また、指令選択キースイッチ１３ｂは、文字の削除や挿入、保存などを行う指令選択キースイッチ１３ｂである。このため、指令選択キースイッチ１３ｂが押下されると、キーボード１３のＣＰＵは、その指令に応じた処理を行う指令信号を、デジタルカメラ１１に送信する。
【００２２】
次に、このデジタルカメラ１１の電気的構成について説明する。
デジタルカメラ１１は、図２に示すように、撮像装置用コンピュータ及びファイル生成手段としての制御部３１、画像入力部３２、電源３３、各種のボタン２３〜２９からなる操作部３４、モニタ駆動部３５、内蔵メモリ３６、文字情報受信手段としての文字情報入力用インターフェイス部３７及び外部記憶用インターフェイス部３８を備えている。
【００２３】
制御部３１は、各部（画像入力部３２〜外部記憶用インターフェイス部３８）との間でデータの送受信を行う。制御部３１は、図示しないＣＰＵ、ＲＡＭ、ＲＯＭ等を有するコンピュータであり、データの生成を行う生成プログラムを含む各種プログラムの実行、キーボード１３やフラッシュメモリ１５とのデータの送受信などの制御を行う。同制御部３１は、キーボード１３から入力される文字情報を、ＲＯＭに記憶されている入力文字の形式（文字の大きさ及び最大文字数など）に適合させてモニタ部２２に表示する。また、この制御部３１は、モード選択ボタン２４が押下されて表示モードとなっているときに、画像選択ボタン２８の回数に応じて選択された画像をモニタ部２２に表示する。また、制御部３１は、モード選択ボタン２４が押下されて、キーボード１３から文字データが入力されると、この入力された文字データに基づく文字情報を、画像とともにモニタ部２２に表示する。
【００２４】
更に、同制御部３１は、操作部３４を構成するシャッターボタン２３が押下されると、モニタ部２２に表示されている画像の画像情報をオリジナル画像ファイル（第１画像ファイルに相当）ＦＯとしてフラッシュメモリ１５に記憶させる。
【００２５】
このオリジナル画像ファイルＦＯは、図４（ａ）に示すように、ファイル付加情報Ａと文字情報Ｐと画像情報ＤＯとから構成されている。画像情報ＤＯは、その画像の水平アドレス及び垂直アドレスによって特定されるアドレスの各ピクセルに対する各ＲＧＢ値の情報である。ファイル付加情報Ａは、識別情報Ａ１と付帯情報Ａ２とから構成されている。識別情報Ａ１は、ファイルを識別する識別情報であって、オリジナル画像ファイルＦＯがフラッシュメモリ１５に記憶される際に生成順に自動的に付与される番号である。付帯情報Ａ２は、画像情報ＤＯがフラッシュメモリ１５に記憶されるときに自動的に生成されて書き込まれる各種情報であって、例えば画像情報のデータ量、撮像日時、モニタ部２２に表示されたときの色合いなどの設定情報である。
【００２６】
文字情報Ｐは、印刷文字情報Ｐ１と非印刷文字情報Ｐ２とから構成されている。印刷文字情報Ｐ１及び非印刷文字情報Ｐ２は、画像に関連する文字情報であって、デジタルカメラ１１が表示モードとなっているときに、キーボード１３から入力される文字情報である。なお、印刷文字情報Ｐ１及び非印刷文字情報Ｐ２には、モニタ部２２に表示されたときの表示位置に関する情報も含まれている。印刷文字情報Ｐ１は、画像とともに印刷される文字に関する文字情報であり、非印刷文字情報Ｐ２は、画像とともには印刷されずモニタ部２２に表示可能な文字に関する文字情報である。すなわち、本実施形態のオリジナル画像ファイルＦＯでは、文字情報のうち画像とともに印刷される印刷文字情報Ｐ１と、印刷されない非印刷文字情報Ｐ２とが別々になっている。
【００２７】
更に、上記制御部３１は、コピーボタン２６が押下されたときにモニタ部２２に表示されているオリジナル画像ファイルＦＯを複製したコピー画像ファイル（第２画像ファイルに相当）ＦＣを生成する。このコピー画像ファイルＦＣは、図４（ｂ）に示すように、ファイル付加情報Ａと文字情報Ｐとアドレス情報ＤＣとから構成されている。ファイル付加情報Ａの識別情報Ａ１は、コピー画像ファイルＦＣが生成されたときに、このファイルを識別する識別情報であって、オリジナル画像ファイルＦＯの識別情報Ａ１と同様に、生成順に自動的に付与される番号である。また、コピー画像ファイルＦＣの文字情報Ｐは、オリジナル画像ファイルＦＯと同様に、印刷文字情報Ｐ１及び非印刷文字情報Ｐ２から構成されている。アドレス情報ＤＣは、この複製する元となるオリジナル画像ファイルＦＯの画像情報ＤＯのフラッシュメモリ１５内の格納先を指定するアドレス情報である。従って、制御部３１は、コピー画像ファイルＦＣの画像をモニタ部２２に表示する場合には、コピー画像ファイルＦＣのアドレス情報ＤＣに基づいて、オリジナル画像ファイルＦＯの画像情報ＤＯに到達して、各ピクセルに対する各ＲＧＢ値の画像情報ＤＯを得る。従って、制御部３１は、コピー画像ファイルＦＣに基づいて、オリジナル画像ファイルＦＯに基づく画像と同じ画像をモニタ部２２に表示させる。
【００２８】
また、制御部３１は、印刷文字情報Ｐ１をモニタ部２２に表示させた状態で、印刷文字情報Ｐ１の情報を変更可能とし、非印刷文字情報Ｐ２をモニタ部２２に表示させた状態で、非印刷文字情報Ｐ２の情報を変更可能としている。
【００２９】
一方、画像入力部３２は、上記光学駆動部２１と撮像素子３９とを含んで構成されている。光学駆動部２１は、制御部３１の指示信号により光学系の焦点を調節し、適切な画像を撮像するために用いられる。撮像素子３９は、光の強弱を電圧に変換して蓄電するフォトダイオードを格子状に並べ画像を電気信号に変換する。本実施形態では、撮像素子３９として電荷結合素子（ＣＣＤ）を用いる。光学駆動部２１に入射した光は撮像素子３９によってデータに変換され、制御部３１に出力される。制御部３１は、撮像素子３９の出力を変換してＲＧＢ信号を生成し、このＲＧＢ信号データを内蔵メモリ３６に継続して順次保持しながらモニタ部２２に出力する。
【００３０】
電源３３は、デジタルカメラ１１の各部を稼動させるために、各部（画像入力部３２〜外部記憶用インターフェイス部３８）に所定の電圧を供給する。操作部３４は、上述したシャッターボタン２３、モード選択ボタン２４、表示切換ボタン２５、コピーボタン２６、メニューボタン２７、画像選択ボタン２８及び電源ボタン２９の各ボタンを含んで構成されており、制御部３１に各種処理を実行させる。
【００３１】
モニタ駆動部３５は、上記モニタ部２２に画像や文書及びメニュー画面等を出力するための駆動部である。内蔵メモリ３６は、撮像素子３９より継続して順次入力される画像を一時的に保存しモニタ部２２に動画として表示するためのものであるとともに、キーボード１３から順次入力される文字情報を一時的に保存し、この文字情報を画像とともにモニタ部２２に表示させるためのものである。
【００３２】
文字情報入力用インターフェイス部３７は、デジタルカメラ１１の制御部３１とキーボード１３とを電気的に接続する部分であって、これを介して同制御部３１は、キーボード１３から文字データを受信して、キーボード１３にて入力された文字データを取り込むことができる。外部記憶用インターフェイス部３８は、制御部３１と、デジタルカメラ１１内に挿入された上記フラッシュメモリ１５とを電気的に接続する部分である。このため、制御部３１は、この外部記憶用インターフェイス部３８を介して、フラッシュメモリ１５に画像情報を記憶させたり、フラッシュメモリ１５に記憶されている画像情報を読み出したり削除したりすることができる。
【００３３】
次に、上述したデジタルカメラ１１の作用について図５〜図７に従って説明する。
ユーザは、画像を撮像するために、まず、フラッシュメモリ１５をデジタルカメラ１１に挿入し、モード選択ボタン２４を押下して撮像モードにしておく。なお、このとき、撮像しやすいように、デジタルカメラ１１からキーボード１３を外しておくのが好ましい。そして、ユーザは電源ボタン２９を押下して、デジタルカメラ１１に電源３３を投入する。
【００３４】
デジタルカメラ１１の制御部３１は、モード選択ボタン２４の押下によって、撮像モードであると判断すると、図５に示すように撮像処理を行う。詳述すると、制御部３１は、光学駆動部２１を介して撮像素子３９が受光する光に基づいて、動画の画像情報を作成し、それを一時的に内蔵メモリ３６に記憶させながら、この動画をモニタ部２２に表示する（ステップＳ１１）。撮像したい画像がモニタ部２２に表示されると、ユーザはシャッターボタン２３を押下する。制御部３１は、シャッターボタン２３が押下されると（ステップＳ１２にてＹＥＳ）、内蔵メモリ３６に記憶されている画像情報に基づいてオリジナル画像ファイルＦＯを生成し（ステップＳ１３）、このオリジナル画像ファイルＦＯをフラッシュメモリ１５に記憶する（ステップＳ１４）。
【００３５】
次に、ユーザが、例えば撮像した画像に関連した文字情報を入力したいと思った場合には、図１に示すように、デジタルカメラ１１にキーボード１３を接続するとともに、モード選択ボタン２４を押下して表示モードに変更する。すると、制御部３１は、図６に示すように表示処理を行う。詳述すると、制御部３１は、まずモニタ部２２にフラッシュメモリ１５に記憶された最初の画像を表示させる（ステップＳ２１）。ユーザは、モニタ部２２に表示された画像が、文字情報を入力したい画像でない場合には、画像選択ボタン２８を押下する。制御部３１は、画像選択ボタン２８が押下されると（ステップＳ２２にてＹＥＳ）、フラッシュメモリ１５に記憶されている画像ファイルＦＯ，ＦＣの画像を、その生成順に順次、モニタ部２２に表示させる（ステップＳ２３）。
【００３６】
ユーザは、例えば図３（ａ）に示すように、モニタ部２２に文字情報を入力したいと思った画像が表示されたならば、表示切換ボタン２５を押下する（ステップＳ２４）。これにより、制御部３１は、図７に示すように、文字入力処理を行う（ステップＳ２５）。
【００３７】
そして、表示切換ボタン２５が１回押下されると（ステップＳ２４）、制御部３１は、印刷文字情報Ｐ１をモニタ部２２に表示する（図７のステップＳ２５１）。このとき、モニタ部２２に表示された画像撮影したばかりのオリジナル画像ファイルＦＯである場合には、その印刷文字情報Ｐ１が空であるため、制御部３１は、モニタ部２２の右下（図３（ｃ），（ｄ）参照）に「印刷文字情報」との文字だけを表示させる。そして、キーボード１３から文字入力を受信せずに（ステップＳ２５２にてＮＯ）、再度表示切換ボタン２５が押下されると（ステップＳ２５３）、制御部３１は、非印刷文字情報Ｐ２をモニタ部２２に表示する（図７のステップＳ２５４）。この場合、オリジナル画像ファイルＦＯの非印刷文字情報Ｐ２が空であるため、制御部３１は、モニタ部２２の右下（図３（ｂ）参照）に「非印刷文字情報」との文字だけを表示させる。
【００３８】
そして、図３（ｂ）に示すように、「○○ツアーの□さん（右）と△△△くん（左）と一緒に撮影」というように、画像に関する情報であって、非印刷文字情報Ｐ２を入力するには、これらの文字に対応する文字用キースイッチ１３ａをユーザが押下する。これにより、キーボード１３は、押下されたキーに対応した文字データがキーボード１３から、デジタルカメラ１１の文字情報入力用インターフェイス部３７を介して制御部３１に供給される。また、削除などの指令選択キースイッチ１３ｂが押下されると、キーボード１３は削除指令信号を制御部３１に供給する。このようにしてキーボード１３から文字情報を受信すると（ステップＳ２５５にてＹＥＳ）、制御部３１は、空であったオリジナル画像ファイルＦＯの非印刷文字情報Ｐ２を、受信した文字情報に変更して内蔵メモリ３６に一時的に記憶する。そして、制御部３１は、受信した文字情報を内蔵メモリ３６に記憶すると、この内蔵メモリ３６に記憶した文字情報を、モニタ部２２に表示されている画像と重ね合わせて表示させる（ステップＳ２５６）。
【００３９】
そして、非印刷文字情報Ｐ２の入力が完了すると、ユーザにより指令選択キースイッチ１３ｂが押下されて、キーボード１３から文字情報を保存する保存信号がデジタルカメラ１１の制御部３１に供給される。制御部３１は、この保存信号を受信すると（ステップＳ２５７にてＹＥＳ）、モニタ部２２に表示されている文字情報、すなわち内蔵メモリ３６に記憶していた文字情報を、一緒に表示されている画像（オリジナル画像ファイルＦＯ）の非印刷文字情報Ｐ２としてフラッシュメモリ１５に記憶する（ステップＳ２５８）。制御部３１は、非印刷文字情報Ｐ２を新たにフラッシュメモリ１５に記憶すると（ステップＳ２５８）、図３（ａ）に示すように画像のみをモニタ部２２に表示させる（ステップＳ２５９）。なお、制御部３１は、非印刷文字情報Ｐ２をモニタ部２２に表示した後（ステップＳ２５４）、再び表示切換ボタン２５が押下されると（ステップＳ２６０にてＹＥＳ）、画像のみをモニタ部２２に表示させる（ステップＳ２５９）。
【００４０】
続いて、ユーザが、図３（ｃ）に示すように、例えば送り先の名前（△△△くんへ）などを画像とともに印刷したいとした場合には、印刷文字情報Ｐ１を入力する。詳述すると、文字入力をする対象の画像がモニタ部２２に表示されているので、ユーザは、再び表示切換ボタン２５を押下する（ステップＳ２４）。これにより、図７に示すように、モニタ部２２には、印刷文字情報Ｐ１が、すなわち右下に「印刷文字情報」との文字だけが表示される（ステップＳ２５１）。そこで、ユーザは、キーボード１３を介して、文字情報を入力する。これにより、制御部３１は、キーボード１３からの文字情報を受信し（ステップＳ２５２にてＹＥＳ）、空であったオリジナル画像ファイルＦＯの印刷文字情報Ｐ１を、受信した文字情報に変更して内蔵メモリ３６に一時的に記憶する。そして、制御部３１は、受信した文字情報を内蔵メモリ３６に記憶すると、この内蔵メモリ３６に記憶した文字情報を、モニタ部２２に表示されている画像と重ね合わせてモニタ部２２に表示させる（ステップＳ２６１）。その後、制御部３１は、キーボード１３から文字情報を保存する保存信号を受信すると（ステップＳ２６２にてＹＥＳ）、モニタ部２２に表示されている文字情報を、モニタ部２２に表示されているオリジナル画像ファイルＦＯの印刷文字情報Ｐ１としてフラッシュメモリ１５に記憶する（ステップＳ２６３）。制御部３１は、文字情報をフラッシュメモリ１５に新たに記憶すると（ステップＳ２６３）、画像のみをモニタ部２２に表示させる（ステップＳ２５９）。
【００４１】
その後、ユーザが、例えば、図３（ｄ）に示すように、他の送り先の名前（□さんへ）など他の印刷文字情報Ｐ１と画像とを印刷したいと思った場合には、制御部３１に次の処理を行わせる。まず、表示モードのまま、画像選択ボタン２８を押下して（図６のステップＳ２２にてＹＥＳ）、コピーしたい画像をモニタ部２２に表示させる。この状態で、ユーザは、コピーボタン２６を押下する。制御部３１は、コピーボタン２６が押下されたと判断すると（ステップＳ２４にてＮＯかつステップＳ３１にてＹＥＳ）、このときモニタ部２２に表示されているオリジナル画像ファイルＦＯの各種情報に基づいて、コピー画像ファイルＦＣを生成して、フラッシュメモリ１５に記憶する（ステップＳ３２）。詳述すると、制御部３１は、識別情報Ａ１を新たに生成し、オリジナル画像ファイルＦＯの付帯情報Ａ２及び文字情報Ｐを複製し、オリジナル画像ファイルＦＯの画像情報ＤＯのアドレス情報ＤＣを生成する。そして、制御部３１は、生成した識別情報Ａ１、複製した付帯情報Ａ２及び文字情報Ｐ及びアドレス情報ＤＣを合成して、コピー画像ファイルＦＣを生成する。そして、制御部３１は、生成されたコピー画像ファイルＦＣをフラッシュメモリ１５に記憶する。そして、この新たに生成したコピー画像ファイルＦＣに基づく画像をモニタ部２２に表示する（ステップＳ３３）。
【００４２】
そして、コピー画像ファイルＦＣの画像がモニタ部２２に表示されている状態で、ユーザは表示切換ボタン２５を押下する（ステップＳ２４）。これにより、制御部３１は、再び文字情報入力処理を行う（ステップＳ２５）。すなわち、表示切換ボタン２５が押下されると、コピー画像ファイルＦＣの印刷文字情報Ｐ１が表示される（図７のステップＳ２５１）。この印刷文字情報Ｐ１は、オリジナル画像ファイルＦＯの印刷文字情報Ｐ１がそのまま複製されたものであるので、図３（ｃ）に示すように「△△△くんへ」という文字が表示される。そこで、ユーザは、キーボード１３から文字情報の変更を行う。詳述すると、ユーザは、キーボード１３の指令選択キースイッチ１３ｂを押下して不要な文字（△△△くんへ）を削除し、文字用キースイッチ１３ａを押下して、図３（ｄ）に示すように新たな文字（□さんへ）を入力する。キースイッチ１３ａ，１３ｂが押下されることにより、制御部３１は、キーボード１３から文字情報を受信したとして、印刷文字情報Ｐ１を変更し、この情報を内蔵メモリ３６に記憶させながら、モニタ部２２に表示されている画像と重ね合わせて表示させる（ステップＳ２６１）。その後、制御部３１は、キーボード１３から保存信号を受信すると（ステップＳ２６２にてＹＥＳ）、印刷文字情報Ｐ１として文字情報を記憶する（ステップＳ２６３）。
【００４３】
以上のように図５〜図７に示した処理を、デジタルカメラ１１は、電源が切れるまで、すなわち電源ボタン２９が押下されるまで、繰り返して行う。これにより、順次、任意の文字情報と画像とを有したオリジナル画像ファイルＦＯ、コピー画像ファイルＦＣが作成されるとともに、各画像ファイルＦＯ，ＦＣに印刷文字情報Ｐ１又は非印刷文字情報Ｐ２の情報が付加されて、フラッシュメモリ１５に記憶される。
【００４４】
以上のようにして、フラッシュメモリ１５に記憶された画像ファイルＦＯ，ＦＣは、プリンタ１２にて図８に示す処理を行って、印刷記録媒体としての紙に印刷される。まず、フラッシュメモリ１５がデジタルカメラ１１から脱着されてプリンタ１２に装着される。プリンタ１２は、ユーザからの指令に応じて印刷する画像ファイルが指定されると（ステップＳ４１）、フラッシュメモリ１５からオリジナル画像ファイルＦＯやコピー画像ファイルＦＣの各ファイル付加情報Ａ、文字情報Ｐ及び画像情報ＤＯを取得する。このとき、プリンタ１２は、指定された画像ファイルがコピー画像ファイルＦＣである場合、すなわち画像情報ＤＯでなくアドレス情報ＤＣを有している場合（ステップＳ４２にてＹＥＳ）には、オリジナル画像ファイルＦＯの画像情報ＤＯから各ピクセルの各ＲＧＢ値を取得する（ステップＳ４３）。なお、プリンタ１２は、印刷すると指定された画像ファイルがオリジナル画像ファイルＦＯであった場合には、そのオリジナル画像ファイルＦＯの画像情報ＤＯから各ピクセルの各ＲＧＢ値を取得する（ステップＳ４４）。
【００４５】
次に、同プリンタ１２は、各画像ファイルＦＯ，ＦＣに、印刷文字情報Ｐ１があるか否かを判断し（ステップＳ４５）、印刷文字情報Ｐ１がある場合には、先に取得した画像情報ＤＯと印刷文字情報Ｐ１から、その画像の印刷データを生成する（ステップＳ４６）。なお、プリンタ１２は、印刷する画像ファイルＦＯ，ＦＣに、印刷文字情報Ｐ１がない場合には、画像情報ＤＯに基づいて印刷データを生成する（ステップＳ４７）。そして、同プリンタ１２は、生成した印刷データに基づいて、印刷記録媒体としての紙に対して、インクを噴射して印刷を行う（ステップＳ４８）。
【００４６】
以上のようにして、同一の画像に対して、例えば「△△△くんへ」又は「□さんへ」といった異なる印刷文字情報Ｐ１とともに印刷される紙を、画像を指定しただけで印刷させることができる。
【００４７】
本実施形態によれば、以下のような効果を得ることができる。
・本実施形態では、オリジナル画像ファイルＦＯの画像情報ＤＯは、従来の画像情報と同様に、画像の水平アドレス及び垂直アドレスによって特定されるアドレスの各ピクセルに対する各ＲＧＢ値から構成されている。また、コピー画像ファイルＦＣは、画像情報ＤＯに比べてデータ量が極端に小さいアドレス情報ＤＣを画像情報ＤＯの代わりに有しているため、大きな記憶容量を必要としない。すなわち、オリジナル画像ファイルＦＯと同一の画像を有するコピー画像ファイルＦＣを複数生成しても、フラッシュメモリ１５の記憶容量がすぐに限界になることがない。このため、ユーザは安易に、任意の情報を付すためにコピー画像ファイルＦＣを複数生成させて、各コピー画像ファイルＦＣに、オリジナル画像ファイルＦＯとは異なる文字情報Ｐを容易に付することができる。すなわち、プリンタ１２に印刷する前のデジタルカメラ１１内にて、画像と、これとともに印刷するそれぞれの印刷文字情報Ｐ１とを有する複数の画像ファイルＦＯ，ＦＣを生成することができる。従って、印刷する際に、印刷文字情報Ｐ１を適宜分けて、画像と一緒に印刷するように設定し直す必要がなく、手間をかけずに印刷を行うことができる。
【００４８】
・本実施形態では、コピー画像ファイルＦＣの文字情報Ｐは、キーボード１３を用いて変更した。このため、画像ファイルが、オリジナル画像ファイルＦＯであるかコピー画像ファイルＦＣであるかを気にすることなく、自由に文字情報を変更することができるので、ユーザは容易に画像と文字情報と関連付けすることができる。
【００４９】
・本実施形態では、制御部３１は、プリンタ１２にて画像とともに紙に印刷させる印刷文字情報Ｐ１と、紙に印刷させない非印刷文字情報Ｐ２とを備えた画像ファイルＦＯ，ＦＣを生成する（ステップＳ１４，Ｓ２１）。すなわち、紙に画像とともに印刷したい印刷文字情報Ｐ１だけでなく、印刷したくない非印刷文字情報Ｐ２をも一緒に画像に関連付けして、１つの画像ファイルＦＯ，ＦＣとして記憶させておくことができる。従って、印刷しない画像の情報であっても、常に画像に関連付けておくことができるので、必要なときにその情報をより確実に得ることができる。
【００５０】
また、フラッシュメモリ１５がプリンタ１２に挿入される前に、すでに画像と、これとともに印刷する印刷文字情報Ｐ１とが関連付けられている。このため、プリンタ１２は、このデジタルカメラ１１で作成された画像ファイルのうち、非印刷文字情報Ｐ２を除いた印刷文字情報Ｐ１と、画像情報ＤＯとに基づいて印刷を行うことができる。従って、ユーザは、プリンタ１２において何ら文字情報を入力したり、文字情報と画像とを選択してこれらを関連付けしたりといった作業をしなくても、画像と任意の印刷文字情報Ｐ１とを同じ紙に印刷させることができる。すなわち、ユーザは、プリンタ１２において紙に印刷を行う際には、文字情報の取捨選択など、印刷直前の文字情報の設定を行う必要がない。結果として、印刷時にはより簡単な操作だけで、画像及びこれに付与したい文字情報のみを紙に印刷することが容易にできる。
【００５１】
・本実施形態では、表示切換ボタン２５を押下することにより、モニタ部２２に表示されている画像に関連した印刷文字情報Ｐ１又は非印刷文字情報Ｐ２をモニタ部２２に表示することができる。このため、ユーザは、画像と対応付けながら、入力された文字を確認することができ、任意の文字情報をより確実に行うことができる。
【００５２】
・本実施形態では、画像の上に印刷文字情報Ｐ１又は非印刷文字情報Ｐ２を表示させるようにした。そのため、印刷文字情報Ｐ１又は非印刷文字情報Ｐ２が関連付ける画像を確認しながら文字情報Ｐを入力することができるので、所定の文字情報Ｐを、関連付けしたい画像にほぼ間違わずに関連付けることができる。
【００５３】
（変更例）
なお、上記実施形態は以下のように変更してもよい。
○上記実施形態では、撮像装置はデジタルカメラ１１であった。これに代えて、他の撮像装置、例えば図９に示すような撮像機能付きの携帯電話機７０であってもよい。この撮像機能付き携帯電話機７０は、光学駆動部２１、モニタ部２２及び各ボタン２３〜２９などに相当するボタンを有しているとともに、キーボード１３のキースイッチ１３ａ，１３ｂに相当するボタンを備えている。このため、この携帯電話機７０では、別途キーボード１３を設けなくても文字入力を行うことができる。
【００５４】
○上記実施形態では、文字入力手段としてキーボード１３を用いたが、音声入力により文字を入力するようにしてもよい。
○上記実施形態では、デジタルカメラ１１にて生成された画像ファイルＦＯ，ＦＣをフラッシュメモリ１５に記憶させ、このフラッシュメモリ１５をプリンタ１２に挿入して印刷を行った。すなわち、上記各実施形態では、デジタルカメラ１１で生成された画像ファイルＦＯ，ＦＣは、フラッシュメモリ１５を介してプリンタ１２に受け渡された。これに代えて、画像ファイルＦＯ，ＦＣを、デジタルカメラ１１内に記憶させて、デジタルカメラ１１とプリンタ１２とをケーブルを介して接続し、デジタルカメラ１１から直接プリンタ１２に画像ファイルＦＯ，ＦＣのデータを受け渡すようにしてもよい。
【００５５】
○上記実施形態では、デジタルカメラ１１の制御部３１は、オリジナル画像ファイルＦＯに基づいてコピー画像ファイルＦＣを生成する際には、オリジナル画像ファイルＦＯの文字情報Ｐと同じ情報をコピー画像ファイルＦＣの文字情報Ｐに記憶させた。これに代えて、制御部３１は、空の文字情報Ｐを有するコピー画像ファイルＦＣを生成してもよい。
【００５６】
○上記実施形態では、印刷文字情報Ｐ１又は非印刷文字情報Ｐ２は、画像とともに表示させた。これに代えて、画像とは別に、印刷文字情報Ｐ１又は非印刷文字情報Ｐ２のみを表示させるようにしてもよい。例えば、表示切換ボタン２５を押下することにより、モニタ部２２に表示された画像の印刷文字情報Ｐ１又は非印刷文字情報Ｐ２のみがモニタ部２２に表示されるようにしてもよい。
【００５７】
○上記実施形態では、文字情報Ｐとして印刷文字情報Ｐ１及び非印刷文字情報Ｐ２の両方を備えたが、何れか片方のみとしてもよい。
○上記実施形態では、コピー画像ファイルＦＣの文字情報Ｐもキーボード１３により変更可能とした。これに代えて、コピー画像ファイルＦＣの文字情報Ｐを変更することができず、オリジナル画像ファイルＦＯの文字情報のみが変更されるような撮像装置であってもよい。
【００５８】
次に、上記実施形態及び別例から把握できる技術的思想について、それらの効果とともに以下に追記する。
（１）画像を撮像する撮像手段と、文字情報を受信する文字情報受信手段と、前記撮像手段により撮像された画像の画像情報と、前記文字入力手段を介して入力された文字情報とを有する画像ファイルを生成するファイル生成手段とを備えた撮像装置において、前記ファイル生成手段は、生成する画像ファイルの文字情報が、前記画像とともに印刷記録媒体に印刷される印刷文字情報と、前記印刷記録媒体には印刷されない非印刷文字情報とから構成されるように、前記画像ファイルを生成することを特徴とする撮像装置。
【００５９】
（２）撮像装置用コンピュータに、
撮像手段により撮像された画像の画像情報とともに印刷記録媒体に印刷される印刷文字情報と、前記印刷記録媒体には印刷されない非印刷文字情報とを区別して構成される文字情報及び前記画像情報から画像ファイルを生成させる機能を実行させるための撮像装置用プログラム。
【００６０】
この（１）及び（２）に記載の発明によれば、画像ファイルに記憶されている文字情報は、画像情報とともに印刷記録媒体に記憶される印刷文字情報と、印刷記録媒体に印刷されない非印刷文字情報とから構成される。このため、ユーザは、印刷記録媒体に画像とともに印刷したい文字情報だけでなく、印刷したくない文字情報をも、同じ画像と関連付けて１つのファイルとして記憶する。従って、同じ画像に、画像とともに印刷記録媒体に表示したい文字情報及び表示したくない文字情報を関連付けして記憶させておくことができる。結果として、印刷しない画像の情報であっても、常に画像に関連付けておくことができるので、必要なときにその情報をより確実に得ることができる。
【００６１】
（３）画像を印刷するための画像情報と、この画像情報とともに印刷記録媒体に印刷される印刷文字情報及び前記印刷記録媒体に印刷されない非印刷文字情報から構成される文字情報とを有する画像ファイルの、前記画像情報と前記非印刷文字情報とに基づいて、前記印刷記録媒体に画像及び文字を印刷することを特徴とする印刷装置。
【００６２】
（４）印刷装置用コンピュータに、画像を印刷するための画像情報と、この画像情報とともに印刷記録媒体に印刷される印刷文字情報と、前記印刷記録媒体に印刷されない非印刷文字情報とを含む画像ファイルの、前記画像情報と前記印刷文字情報とに基づいて、前記印刷記録媒体に画像及び文字を印刷させる機能を実行させるための印刷装置用プログラム。
【００６３】
この（３）及び（４）に記載の発明によれば、印刷装置は、画像ファイル中にある非印刷文字情報を除いた画像情報と印刷文字情報とに基づいて印刷記録媒体に画像及び文字を印刷する。すなわち、画像とこの画像とともに印刷記録媒体に印刷される文字とがすでに関連付けられている。このため、ユーザは、印刷装置において印刷記録媒体に画像及び文字を印刷する際に、何ら文字情報を入力したり、文字情報と画像とを選択してこれらを関連付けしたりといった作業をしなくても、画像と任意の文字情報とを同じ印刷記録媒体に印刷させることができる。従って、印刷装置における画像及び文字情報の出力をより簡単かつ容易に行うことができる。
【図面の簡単な説明】
【図１】実施形態におけるデジタルカメラの概略斜視図。
【図２】同デジタルカメラの電気的構成を示すブロック図。
【図３】同デジタルカメラのモニタに表示された画面図。
【図４】同デジタルカメラにより生成されるデータのデータ構成図。
【図５】同デジタルカメラにおける撮像処理を示す流れ図。
【図６】同デジタルカメラにおける表示処理を示す流れ図。
【図７】図６における文字情報入力処理を示す流れ図。
【図８】実施形態における画像の印刷処理を示す流れ図。
【図９】変更例における撮像装置としての携帯電話機の斜視図。
【符号の説明】
ＤＣ…アドレス情報、ＤＯ…画像情報、ＦＣ…第２画像ファイルとしてのコピー画像ファイル、ＦＯ…第１画像ファイルとしてのオリジナル画像ファイル、Ｐ…文字情報、Ｐ１…印刷文字情報、Ｐ２…非印刷文字情報。
【図１】
2004146951.tif 000003
【図２】
2004146951.tif 000004
【図３】
2004146951.tif 000005
【図４】
2004146951.tif 000006
【図５】
2004146951.tif 000007
【図６】
2004146951.tif 000008
【図７】
2004146951.tif 000009
【図８】
2004146951.tif 000010
【図９】
2004146951.tif 000011